(57)【要約】【課題】  従来の給紙装置では、単一の斜面部材が小さい幅で構成され、構成記録紙幅方向に間隔をあけて複数の前記斜面部材を配列して斜面を構成する系おいて、記録紙の物性に応じて斜面抵抗の最適化を図るために斜面部材を交換する場合、交換部材が複数のわたり、大変操作性や作業性の悪いものであり、これを改善することを目的とする。【解決手段】  斜面の搬送抵抗を利用して積載紙を分離給紙する給紙装置において、カセット等に本来から組み込まれた複数の斜面部材とは別に、特殊用途の記録紙用に別途斜面部材を有するサポータの構成。【選択図】  図１
2007145591.tif 000002
【特許請求の範囲】
【請求項１】
複数記録紙を積載する記録紙載置台と、
記録紙載置台上の記録紙の最上位紙に対して給紙搬送力を付与する給紙力付与手段と、
前記給紙力付与手段による記録紙の最上位紙の進行方向に対して傾斜角度にて記録紙と当接可能であって記録紙の幅方向に間隔をおいて配置された複数の第1傾斜部材と、
記録紙幅方向で前記複数の第1傾斜部材の間隔に配置可能であって装置本体もしくは前記記録紙載置台に対して着脱可能に構成する第２傾斜部材と
で構成することを特徴とする給紙装置。
【請求項２】
前記第２傾斜部材は記録紙幅方向で前記複数の第1傾斜部材の間隔のいずれかの一以上の箇所に配置され、一体的に装置本体もしくは前記記録紙載置台に対して着脱可能に構成する請求項１の給紙装置。
【請求項３】
前記第1傾斜部材と前記第２傾斜部材とは特定の記録紙に対する摩擦係数が異なる素材で構成することを特徴とする請求項１及び請求項２の給紙装置。
【請求項４】
前記給紙力付与手段による記録紙の最上位紙の進行方向に関して前記第２傾斜部材の位置は前記第1傾斜部材の位置に対して同一位置乃至前記進行方向の下流側に配置にすることを特徴とする請求項１、請求項２及び請求項３の給紙装置。
【請求項５】
前記記録紙載置台上の積載された記録紙の下部に配置され記録紙の幅方向に沿って記録紙の載置高さが順次連続的に変化させるように記録紙を湾曲させる支持部材と、
該支持部材と前記第２の傾斜部材とが一体的に構成されたことを特徴とする請求項１、請求項２、請求項３及び請求項４の給紙装置。
【発明の詳細な説明】
【技術分野】
【０００１】
本発明は、プリンタ、複写機あるいはファクシミリ等の給紙装置に関する。
【背景技術】
【０００２】
プリンタ、複写機あるいはファクシミリ等の画像記録装置には給紙カセット等に多数枚積載された記録紙の最上位紙に対して給紙ローラを当接回転させて1枚ずつ給紙搬送する給紙装置が使用されている。
【０００３】
図６は、斜面の搬送抵抗を利用して積載紙を分離給紙する従来の給紙分離装置を示す図である。
【０００４】
給紙された記録紙１００は斜面１０１を乗り上げ、搬送方向を矢印Ｘ方向、Ｙ方向に変換された後、下流側に配置された画像記録部位Ｐへ搬送される。給紙ローラ１０２が最上位記録紙１００ａに直接接触することで発生する搬送力は、最上位記録紙１００ａの先端と斜面１０１との摩擦力及び最上位記録紙１００aが斜面１０１をさかのぼる時の屈曲反力に対して十分上回る給紙搬送力が発生するように設計される。一方、下位の記録紙１００ｂは、給紙ローラ１０２の下方部で記録紙１００ａと１００ｂ間の摩擦力が作用し、最上位紙１００aと同様の方向に搬送摩擦力を受けるが、これは上記最上位紙１００aが給紙ローラ１０２から受ける搬送力よりもはるかに小さいく、該下位の記録紙１００ｂの先端が斜面１０１で受ける摩擦力、もしくは斜面１０１をさかのぼる時の屈曲反力の方が上記搬送摩擦力より上回ることとなり、下位紙１００ｂが最上位紙１００ａにつられて重送することが防止される。上記構成により、積載された記録紙１００の1枚のみが装置本体下流側へ給紙される。
【０００５】
実際の部材構成では、斜面１０１と記録紙１００との摩擦が給紙ローラ１０２の搬送力に比して不要に増加しないようにするとともに、給紙時において斜行しないように斜面１０１と記録紙１００との摩擦による搬送反力作用位置と給紙ローラ１０２の搬送作用位置との相対位置を考慮して、斜面１０１が記録紙１００の幅の全域に渡る一平面で構成されることは少なく、実際に記録紙１００が当接する斜面１０１は、小幅な部材で構成する斜面部材を記録紙１００の幅方向に間隔をあけて複数個配列して構成することが一般的である。
【０００６】
（例えば、特許文献１及び２参照）
しかしながら、記録紙１００の物性によっては、記録紙１００同士の摩擦力が極めて大きい場合や、上記屈曲反力が極めて小さい剛性を有する場合があり、多種多様の記録紙１００をすべて同一の機構構成で給紙分離作用を及ぼすことは困難であった。
【０００７】
そこで、記録紙１００の特性に応じて斜面部材を交換する方法を考え得るが、上記参考の文献公知発明ように単一の斜面部材が小幅で構成され、記録紙幅方向に間隔をあけて複数の斜面部材を配列して構成する場合には、交換部材が複数のわたり、交換には大変作業性が悪いものであった。
【０００８】
一方、上記複数の斜面部材を並列させる構成において記録紙１００が環境変動のよってカールしやすい物性のものを使用すると、記録紙先端で下方凸状のカール形状をした部分が斜面部材同士の間の隙間に食い込む現象が生じる場合がある。
【０００９】
図７は、記録紙先端の一領域が下方凸状形状のカール形状となった場合の現象を示した図である。
【００１０】
図中、小幅斜面部材１２１、１２２、１２３、１２４の配列された間隔の間に記録紙１００の下方に凸状形状のカール形状部１２６、１２７，１２８が相対して給紙することになると、給紙ローラ１０２による搬送力がより、カールを助長する方向に作用し、いわゆるくさび効果と同様に、さらに記録紙１００のカール形状部１２６、１２７、１２８がそれぞれ小幅斜面部材１２１と１２２、小幅斜面部材１２２と１２３、小幅斜面部材１２３と１２４との配列された間隔の間に入り込もうとする。その結果、小幅斜面部材１２１、１２２、１２３、１２４と記録紙１００との摩擦力が異常に上昇し、給紙ローラ１０２による搬送力を超える負荷となり、給紙不良となることもあった。
【００１１】
上記参考の文献公知発明では、この事例に関する開示はない。
【特許文献１】特開平１１−００５６３８公報（第8頁、図１及び図２）
【特許文献２】特公開２００２−３２１８３８公報（第１１頁、図３及び図４）
【発明の開示】
【発明が解決しようとする課題】
【００１２】
前記従来の給紙装置では、単一の斜面部材が小さい幅で構成され、構成記録紙幅方向に間隔をあけて複数の前記斜面部材を配列して斜面を構成する系おいて、記録紙の物性に応じて斜面抵抗の最適化を図るために斜面部材を交換する場合、交換部材が複数のわたり、大変操作性や作業性の悪いものであり、本発明はこれを改善することを目的とする。
【００１３】
一方、上記複数の分離部材を並列させる構成において記録紙が環境変化よってカールしやすい物性のものを使用すると、斜面部材同士の間の隙間に記録紙先端の下方凸状のカール形状をした記録紙が食い込む現象が生じる場合があり、その結果、斜面部材と記録紙との摩擦が異常に増加し、給紙ローラによる搬送力を超える負荷となり、給紙不良となることもあり、搬送安定性を確保することを目的とする。
【００１４】
また、カールしやすくかつ剛性がない記録紙に対しては、斜面抵抗を必要以上に増加させると、給紙動作中に記録紙が斜面部材に当接したときにいわゆる腰砕け状態となって、紙詰まりが生じることがあり、この不具合を改善することを目的とする。
【課題を解決するための手段】
【００１５】
本発明の給紙装置は上記課題に対して、
複数記録紙を積載する記録紙載置台と、
該記録紙載置台上の記録紙の最上位紙に対して給紙搬送力を付与する給紙力付与手段と、
前記給紙力付与手段による記録紙の最上位紙の進行方向に対して所定の傾斜角度にて記録紙と当接可能であって記録紙の幅方向に間隔をおいて配置された複数の第1傾斜部材と、
記録紙幅方向で前記複数の第1傾斜部材の間隔に配置可能であって装置本体もしくは前記記録紙載置台に対して着脱可能に構成する第２傾斜部材と
で構成することを特徴する。
【００１６】
さらに、前記第２傾斜部材は記録紙幅方向で前記複数の第1傾斜部材の間隔のいずれかの一以上の箇所に配置され、一体的に装置本体もしくは前記記録紙載置台に対して着脱可能に構成し得る。
【００１７】
また、前記第1の傾斜部材と前記第２の傾斜部材とは特定の記録紙に対する摩擦係数が異なる素材で構成し得る。
【００１８】
一方、前記給紙力付与手段による記録紙の最上位紙の進行方向に関して前記第２の傾斜部材の位置は前記第1傾斜部材の位置に対して同一位置乃至前記進行方向の下流側に配置にする構成し得る。
【００１９】
さらに、前記記録紙載置台上の積載された記録紙の下部に配置され記録紙の幅方向に沿って記録紙の載置高さが順次連続的に変化させるように記録紙を湾曲させる支持部材と、
該支持部材と前記第２の傾斜部材とが一体的に構成し得る。
【発明の効果】
【００２０】
本発明によれば、特殊な記録紙に対して給紙分離性を維持するために、記録紙の給紙搬送における斜面抵抗を変更し得るものであり、そのための第２斜面部材の追加操作が、たとえ第２斜面部材が複数あっても簡単に短時間で実施することが可能となり、操作性を向上することができる。
【００２１】
また、特定の対象とする記録紙材に対して第２斜面部材の表面の摩擦係数を、本来装置本体もしくは記録紙載置台に設定されている第１斜面部材とは異なるものとして最適化すると、その対象とする記録紙に対して給紙分離性を向上させることができる。
【００２２】
さらに、前記記録紙載置台上の積載された記録紙の下部に配置され、記録紙の幅方向に沿って記録紙の載置高さが順次連続的に変化させるように記録紙を湾曲させる支持部材と複数の第２斜面部材とを一体的に構成することにより、記録紙が給紙搬送方向において腰付けされ、見掛け上剛性が高まり、給紙ローラによって記録紙が給紙される際、斜面部材に対する当接圧が高まり、実質上、斜面抵抗力が増加して、給紙分離性に貢献し、特定記録紙を使用する際の分離性を総合的に改善することができる。
【００２３】
一方、カールしやすい記録紙に対しては、小幅斜面部材同士間の隙間に記録紙のカール部が食い込む現象を、第２の斜面部材を付加することで抑制することができ、給紙不良を防止できる。
【００２４】
前記第１斜面部材の斜面抵抗で充分な分離性能を維持できていても、剛性が低く、カールしやすい記録紙に対しては、第２の斜面部材の表面を摺動潤滑性の良いものとし、かつ第２斜面部材を前記第１各斜面部材の各斜面を結ぶことで定義される仮想搬送斜面位置よりも記録紙進行方向のやや下流側に位置させることで、第２斜面部材は給紙分離時には通常直接的に記録紙に当接せず、カールが侵入したときのみを接触してその進入を抑制することになるので、斜面抵抗を必要以上に増加させることなく、上記食い込み現象を抑制できるので給紙不良を防止することが可能となる。
【発明を実施するための最良の形態】
【００２５】
（実施例１）
図４は給紙カセットの構成を示す図である。
【００２６】
給紙カセット1は給紙装置本体から挿脱可能であって、給紙装置から脱した後、不図示後述の記録紙１０を積載することができる。ベース面１ｂは記録紙１０を載置する。記録紙１０進行方向（矢印Ａ方向）端部壁面には記録紙１０に対して最適化した摩擦係数を有する材質から構成される複数の小幅な斜面部材２１，２２，２３，２４が一体的に取り付けられている。各斜面部材２１，２２，２３，２４は記録紙１０の各幅を考慮しつつ、所定の間隔をあけて配置され、ベース面１ｂに対して同じ傾斜角度を有するように設定されている。
【００２７】
図３は特殊記録紙サポータＳを示す図である。
【００２８】
本実施例では、後述の給紙ローラ４７，４９の給紙搬送力は充分なものと設定されており、対象とする特殊記録紙１０は記録紙間摩擦が高く、かつ剛性の比較的高い記録紙を想定する。
【００２９】
サポータベース２５は薄板形状を有し、可撓性のサポータシート２６に接着結合されている。サポータシート２６の記録紙幅方向での両端部の下部には記録紙１０の搬送方向に伸びる第1スペーサ２７と第２スペーサ２８が固定される。この構成により前記給紙カセット１のベース面１ｂ上の積載された記録紙１０の下部に配置すると、記録紙１０の幅方向に沿って記録紙１０の載置高さが順次連続的に変化させるように記録紙を矢印Ｂのように湾曲させて支持することができる。記録紙１０が湾曲すると給紙搬送方向において腰付けされ、見掛け上剛性が高まり、給紙ローラ４７，４９によって記録紙１０が給紙される際、斜面部材２１，２２，２３、２４等に対する当接圧が高まり、実質上、斜面抵抗力が増加して、給紙分離性に貢献する。
【００３０】
サポータベース２５の記録紙１０の進行方向（矢印Ａ方向）側には斜面を構成する突出斜面部２９，３０，３１がサポータベース２５と一体的に構成されている。突出斜面部２９，３０，３１は装置の仕様にあわせて特殊記録紙１０に対して摩擦係数を最適化した材質のもので構成される。一般に、給紙カセット1内で積載される記録紙１０間の摩擦が高いと重送しやすいので、斜面抵抗を増すように摩擦係数を高くなるように設定されるが、記録紙１０の剛性が低いと、記録紙１０先端と突出斜面部２９，３０，３１との摩擦力で給紙動作に関わらず、記録紙１０が進行せず、記録紙１０が給紙ローラ４７，４９と突出斜面部２９，３０，３１との間で座屈し、紙詰まりとなる場合もあり、対象とする記録紙１０に応じて、突出斜面部２９，３０，３１の摩擦抵抗の最適化が求められる。
【００３１】
図１は給紙カセット１に特殊記録紙サポータＳを設置した図である。
【００３２】
サポータベース２５の裏面側には不図示の位置決め突起部３２，３３があって、給紙カセット１のベース面１ｂに構成された位置決め穴２，３（図４）に上記位置決め突起部を挿入するように設置すると、両者間の相対位置が決まる。
【００３３】
本実施例では、給紙カセット１の斜面部２１，２２，２３，２４とサポータベース２５に一体化されている突出斜面部２９，３０，３１とは略同一平面内に設定されるものとし、給紙分離時には、記録紙１０の先端が給紙カセット１の斜面部材２１，２２，２３，２４と特殊記録紙サポータＳの突出斜面部材２１，２２，２３とが同時当接して斜面抵抗を増加する設定となっており、当接斜面が増えることにより斜面抵抗を増加させる構成である。
【００３４】
上記特殊記録紙サポータＳを給紙カセット１に設置した後、記録紙１０を給紙カセット１内に載置すると、記録紙１０はスペーサ２７，２８の高さによって図中矢印Ｂ方向に湾曲する。
【００３５】
図２は特殊記録紙サポータＳを給紙カセット１に設置し、記録紙を載置して給紙装置本体内に設置した概略構成を示す図である。
【００３６】
揺動給紙アーム４１は幅方向両端が回転可能に支持された揺動支軸４２を中心に揺動可能であり、自重にて図中反時計方向に下降可能に装置本体に保持される。
【００３７】
揺動給紙アーム４１は内部空間を有するフレーム構造であって、その内部空間には、揺動支軸４２と平行な姿勢位置で、その両端を揺動給紙アーム４１に回転可能に支持される給紙ギア軸４４が配置される。給紙ギア軸４４には軸方向に伝達ギア４５が回転自在に支持される。
【００３８】
給紙ギア４３は給紙ローラ軸４６に支持され、伝達ギア４５と噛み合ってその回転駆動力を受ける。
【００３９】
ワンウェイクラッチ４８は、給紙ローラ軸４６上に支持され、給紙ギア４３に結合されており、回転駆動力の内、給紙ローラ４７，４９が給紙方向に回転する方向の回転力のみを給紙ローラ軸４６に伝達する。
【００４０】
また、揺動給紙アーム４１の揺動支軸４２の中央には駆動プーリ５１が固定され、該駆動プーリ５１は、伝達ギア４５の端部に固定された従動プーリ５３に対して中継ベルト５４を介して回転駆動力が伝達され、伝達ギア４５へ回転力を伝達する。
【００４１】
揺動支軸４２部には支軸ギア５５固定される。
【００４２】
支軸ギア５５の隣接位置には、本体固定位置に回転可能に支持された入力ギア５６が配置され、支持ギア５５と噛み合って回転駆動力を伝達する。
【００４３】
モータ６０は装置本体の固定位置に固定され、モータ軸６１に一体的に固定されたモータプーリ６２から減速ベルト６３を介して、本体固定位置にある回転軸支軸６４に回転可能に支持される減速プーリ６５を回転駆動することができる。
【００４４】
減速プーリ６５にはギア部６６が一体的に構成され、ギア部６６からには一点鎖線７２で略されて示す回転伝達経路にて入力ギア５６へ回転を伝達する機構を有する。図中、本実施例ではギア部６６が反時計方向に回転するときは、入力ギア５６が時計方向に回転する。
【００４５】
給紙ローラ４７、４９は給紙カセット１に積載された記録紙１０上位紙に当接して回転することにより、矢印Ａ向に記録紙１０を搬送する。
【００４６】
記録紙１０はサポータＳによって、中央凹の湾曲を描くように載置され、腰付けされるので見かけ上、剛性が上がり、斜面部材２１，２２，２３，２４や突出斜面部２９，３０，３１に強く当接することになるので、分離性を向上することに寄与している。
【００４７】
また、サポータベース２５に一体化された突出斜面部２９，３０，３１が本来給紙カセット１に配置された斜面部材２１，２２，２３，２４に追加されて、記録紙１０の先端が各斜面部材に同時に当接することになるので、全体的に斜面抵抗力が増加し、分離作用に貢献するので、さらに分離性を向上することが可能である。
【００４８】
上記構成でも斜面抵抗が不足し、分離性に満足できない記録紙１０に対しては、本来給紙カセット１に配置された斜面部材２１，２２，２３，２４の材質や表面材、表面処理等と異なるものをサポータベース２５の突出斜面部２９，３０，３１に採用し、最適な斜面摩擦抵抗力を発生するようにすれば、給紙分離性を最適化できる。
【００４９】
一方、記録紙１０が環境変動のよってカールしやすい場合、斜面部材２１，２２，２３，２４同士の間の隙間に記録紙先端が下方凸状のカール形状をした記録紙が食い込む現象が生じるが、サポータベース２に一体化された突出斜面部２９，３０，３１が、本来給紙カセット１に配置された斜面部材２１，２２，２３，２４の隙間に追加されるので、斜面部材２１，２２，２３，２４の隙間へのカール侵入を抑制でき、上記食い込み現象を抑制できるので、給紙不良を防止することが可能となった。
【００５０】
（実施例２）
図５は第２の実施例を示す図である。
【００５１】
本実施例では、本来給紙カセット１に配置された斜面部材２１，２２、２３，２４のみで充分な斜面抵抗を得られ、給紙分離性には問題がないが、カールに対して上記従来の問題があり、かつ剛性がない記録紙１０を対象として想定する。
【００５２】
従来装置では、斜面抵抗を必要以上に増加させると、記録紙先端と斜面との摩擦力で給紙動作に関わらず、記録紙が進行せず、記録紙が給紙ローラと斜面との間で座屈し、紙詰まりとなる場合もあり、その結果、紙詰まりが生じることがあった。
【００５３】
本実施例では、本来給紙カセット1に配置された斜面部材２１，２２，２３，２４に対してサポータベース２５に一体化された突出斜面部２９，３０，３１は前記記録紙の進行方向の下流側に図中記号δ分ややずれて配置にすることを特徴する。
【００５４】
この場合は、サポータベース２５に一体化された突出斜面部２９，３０，３１の表面性を摺動潤滑性の良いものとし、かつ該突出斜面部２９，３０，３１の斜面を本来給紙カセット１に配置された各斜面部材２１，２２，２３，２４の各斜面を結ぶことで定義される仮想搬送斜面位置よりも記録紙進行方向のやや下流側（図中δ分）に位置させることで、サポータベース２５に一体化された斜面部材２９，３０，３１は、給紙分離時には通常直接的に記録紙１０には当接せず、斜面抵抗を必要以上に増加させることはなく、サポータベース２５に一体化された突出斜面部２９，３０，３１はカールが侵入したときのみを当接してそのカールの侵入のみを抑制し、またその摺動潤滑性により記録紙１０をスムースに斜面を上昇させることで、上記食い込み現象を防止し、搬送負荷の異常上昇が無いようにでき、搬送不良を防止することが可能となる。
【００５５】
上記実施例では第１斜面部材（前記実施例の斜面部材２１，２２，２３，２４に相当）は給紙カセット１に配置されたが、前記第１の斜面部材は給紙カセット１に配置することに限らず、装置本体の固定位置にあってもよい。給紙カセット１の記録紙進行方向の壁面を切り欠き、給紙カセット１を装置本体に装着させたときに該切り欠き部から第１斜面部材がカセット内部へ臨出するように構成することも可能である。同様に複数の第2斜面部材もカセットではなく、記録装置本体に一体的に着脱可能に構成しても良い。
【図面の簡単な説明】
【００５６】
【図１】給紙カセット１に特殊記録紙サポータＳを設置した図。
【図２】特殊記録紙サポータを給紙カセットに設置し、記録紙を載置して給紙装置本体内に設置した概略構成を示す図。
【図３】特殊記録紙サポータＳを示す図。
【図４】給紙カセットの構成を示す図。
【図５】第２の実施例を示す図。
【図６】斜面の搬送抵抗を利用して積載紙を分離給紙する従来の給紙分離装置を示す図。
【図７】従来の給紙分離装置で記録紙先端が下方凸状形状のカール形状となった場合の現象を示した図。
【符号の説明】
【００５７】
１  給紙カセット
１０  記録紙
２１、２２、２３，２４  斜面部材
２５  サポータベース
２６  可撓性シート
２７、２８  スペーサ
２９，３０，３１  突出斜面部
４７，４９  給紙ローラ
【図１】
2007145591.tif 000003
【図２】
2007145591.tif 000004
【図３】
2007145591.tif 000005
【図４】
2007145591.tif 000006
【図５】
2007145591.tif 000007
【図６】
2007145591.tif 000008
【図７】
2007145591.tif 000009